(57)【要約】【課題】  対象物を掴むとき及び掴んだ後の作業中に、指の関節がスムーズに動くことができ、手が疲れず、長時間作業等を行うことができる手袋を提供する。【解決手段】手袋Ｇは、各指部２、３、４及び５の第１関節部２１、３１、４１及び５１が第２関節部２２、３２、４２及び５２に比べて掌側に屈曲しており、第２関節部２２、３２、４２及び５２が第３関節部２３、３３、４３及び５３に比べて掌側に屈曲しており、屈曲によって生じる窪み部２１１、３１１、４１１及び５１１の最深部２１１１、３１１１、４１１１及び５１１１と、窪み部２２１、３２１、４２１及び５２１の最深部２２１１、３２１１、４２１１及び５２１１と、第１関節部と第２関節部とに接する滑らかな曲面６との間の最短の距離が共に０，２〜５ｍｍである。【選択図】図３
2007262642.tif 000002
【特許請求の範囲】
【請求項１】
手を挿着後、対象物を掴むときに指の関節部がスムーズに動くことができる手袋Ｇであって、
当該手袋Ｇは、第２指部２、第３指部３、第４指部４及び第５指部５に於いて、
前記各指部２、３、４及び５の第１関節部２１、３１、４１及び５１が第２関節部２２、３２、４２及び５２に比べて掌側に大きく屈曲しており、同時に、第２関節部２２、３２、４２及び５２が第３関節部２３、３３、４３及び５３に比べて掌側に大きく屈曲しており、
かつ、前記屈曲によって生じる前記第１関節部２１、３１、４１及び５１の掌側の窪み部２１１、３１１、４１１及び５１１の最深部２１１１、３１１１、４１１１及び５１１１と、前記第２関節部２２、３２、４２及び５２の掌側の窪み部２２１、３２１、４２１及び５２１の最深部２２１１、３２１１、４２１１及び５２１１と、
前記第１関節部２１、３１、４１及び５１と前記第２関節部２２、３２、４２及び５２に同時に接する滑らかな曲面６と、
の間の最短の距離が共に０，２〜５ｍｍであることを含むことを特徴とする手袋。
【請求項２】
手を挿着後、対象物を掴むときに指の関節部がスムーズに動くことができる手袋Ｇであって、
当該手袋Ｇは、第２指部２、第３指部３、第４指部４及び第５指部５に於いて、
前記各指部２、３、４及び５の第３関節部２３、３３、４３及び５３の屈曲が、当該第３関節部２３、３３、４３及び５３の中心に立てた垂線７を基線として掌側に傾いた状態の角度２３１、３３１、４３１及び５３１で示され、５〜３０°になっており、
前記各指部２、３、４及び５の第２関節部２２、３２、４２及び５２の屈曲が、前記第３関節部２３、３３、４３及び５３の中心に立てた垂線７を基線として掌側に傾いた状態の角度２２１、３２１、４２１及び５２１で示され、３０〜６０°になっており、
前記各指部２、３、４及び５の第１関節部２Ｉ、３２、４１及び５Ｉの屈曲が、前記第３関節部２３、３３、４３及び５３の中心に立てた垂線７を基線として掌側に傾いた状態の角度２Ｉ１、３１１、４ＩＩ及び５Ｉ１で示され、５５〜８５°になっており、
かつ、第２指部２から第５指部５の全ての指部に於いて、前記屈曲によって生じる前記第１関節部２１、３１、４１及び５１の掌側の窪み部２１１、３１１、４１１及び５１１の最深部２１１１、３１１１、４１１１及び５１１１と前記第２関節部２２、３２、４２及び５２の掌側の窪み部２２１、３２１、４２１及び５２１の最深部２２１１、３２１１、４２１１及び５２１１と、
前記第１関節部２１、３１、４１及び５１と前記第２関節部２２、３２、４２及び５２とに同時に接する滑らかな曲面６と、
の間の最短の距離が共に０，２〜５ｍｍであることを含むことを特徴とする手袋
【請求項３】
前記垂線７を基線として掌側に傾いた状態の角度２２１、３２１、４２１及び５２１と垂線７を基線として掌側に傾いた状態の角度２３１、３３１、４３１及び５３１の差が１５°を超え、
前記垂線７を基線として掌側に傾いた状態の角度２１１、３１１、４Ｉ１及び５Ｉ１と前記垂線７を基線として掌側に傾いた状態の角度２２１、３２１、４２１及び５２１の差も１５°を超える、
ことを特徴とする請求項２記載の手袋。
【請求項４】
滑らかな曲面４が、球表面で形成されていることを特徴とする請求項１、２又は３記載の手袋。
【発明の詳細な説明】
【技術分野】
【０００１】  本発明は手袋に関し，特に、挿着後、対象物を掴むとき及び掴んだ後の作業中に、指の関節がスムーズに動くことができ、手が疲れず、長時間作業等を行うことができる手袋に関する。
【背景技術】
【０００２】  従来、手に違和感がなく挿着することができ、挿着後は、対象物を掴むときに指の関節がスムーズに動くことができるようにしようとした手袋、例えば、作業用手袋が種々開示され、また、実用化されている。
例えば、用途は示されていないが、一般的な作業用手袋として、その一つは、軟質合成樹脂からなる作業用手袋本体の第２指部から第５指部の中節部を内側に屈曲させて構成し、上記各指の中節部の屈曲角度を、第２指と第５指は略３０°とし、且つ第３指と第４指は２５°とした手袋が開示されている。
また他の一つは、炊事、セメント混練、溶液調合、汚物処理、医療手術等に着用されるゴム手袋であり、可撓性樹脂の被膜で形成されており、人差指部、中指部、薬指部及び小指部の各指部が中手部から指先にかけて掌側に３０°から９０°の曲率をもって湾曲しており、中手部とこれらの指部との境部が人差指部から小指部にかけて掌側に５°〜３０°の曲率をもって湾曲している作業用手袋が開示されている。【０００３】  なお、上記開示されている公知技術としては下記の公開実用新案の文献を挙げることができる。
【公開実用新案文献Ｉ】
【０００４】  公開実用新案公報  昭６２−１９４７１５号公報
【公開実用新案文献ＩＩ】
【０００５】  公開実用新案公報  昭６０−７１６１７号公報
【発明の開示】
【発明が解決しようとする課題】
【０００６】  上記の如く、従来技術に係る前者の作業用手袋は、作業用手袋本体の第２指部から第５指部の「中節部」を内側に屈曲させたものであり、上記各指の「中節部」の屈曲角度を所定の角度としたものである。
そのため，作業者が当該手袋を挿着して対象物を掴むときに、当該手袋は、第２指部から第５指部の「中節部」の比較的広い「区域」だけを掌側に屈曲させている。そして、前記指部の掌側の第１関節部、第２関節部及び第３関節部は「中節部」に比べて狭いので、前記関節部では掌側で無理に皺を発生させることにより屈曲させねばならず、そのことにより、相当余分の力を要する。
同時に、当該手袋の甲側の前記関節部では逆に伸張させなければならず、ここでも相当余分の力を要し、これらの両方の力が相俟って、手袋内に挿着している手の指は、短時間の作業では左程感じないが、長時間の作業では、相当疲れる。特に、電気回路の作業では、高所での上向きの作業が多く、その傾向が著しい。【０００７】  後者の作業用手袋は、中手部から指先にかけての「全区域」において、掌側に所定の曲率をもって「緩やかに」湾曲している。また、中手部とこれらの指部との境部が人差指部から小指部にかけて「全区域」において、掌側に所定の曲率をもって「緩やかに」湾曲している【０００８】  このように、後者の作業用手袋は、作業者が当該手袋を挿着して対象物を掴むときに、第１関節部、第２関節部及び第３関節部の掌側の中手部から指先にかけて「全区域」が掌側に所定の湾率をもって「緩やかに」湾曲している。
そのため、前者の作業用手袋と同じく、作業者が当該手袋を挿着して対象物を掴むときに、当該手袋は、前記全区域だけを掌側に緩やかに湾曲させなければならない。そのことにより、前記第１関節部、第２関節部及び第３関節部では、掌側で皺を発生させねばならず、自ずと、余分の力を要する。同時に、甲側では伸張しなければならず、余分の力を要し、これらの力が相俟って、手袋内に挿着している手の指は、短時間の作業では左程感じないが、長時間の作業では、相当疲れる。特に、電気回路の作業では、高所での上向きの作業が多く、その傾向が著しい。【０００９】    本発明は、このような点に鑑みて成されたものであり、その目的は、挿着後、対象物を掴むときに指の関節がスムーズに動くことができ、作業等が行い易く、手が疲れず、特に、電気回路の作業のような高所における上方での作業（例えば、立っている電柱の配電工事等）即ち上向きの長時間の作業でも、スムーズに行い易く、疲れることがない手袋を提供することにある。
【課題を解決するための手段】
【００１０】  前記目的を達成するために講じた本発明の手段は、次の通りである。
以下、図面を使用して説明する。ここで、図１は本発明に係る手袋の左手側を掌側から見た正面図である。図２は本発明に係る手袋の右手側を第１指側から見た側面図である。図３は図１のＡ−Ａ視拡大断面図である。当該図３には、後記の説明の便宜のために、第３指の掌側に接した球の断面図を加えている。図４は図３に示す第３指の第３関節の掌側への屈曲の角度を示す説明図である。図５は図３に示す第３指の第２関節の掌側への屈曲の角度を示す説明図である。図６は図３に示す第３指の第１関節の掌側への屈曲の角度を示す説明図である。
以下、図３〜図６に於いて、（  ）内の符号は、第２指、第４指及び第５指の場合を示す。
なお、上記断面図において、指骨、血管等のように、本発明を説明するために、直接関与しないものついては、省いている。【００１１】  第１の発明は、手を挿着後、対象物を掴むときに指の関節部がスムーズに動くことができる手袋Ｇであって、当該手袋Ｇは、第２指部２、第３指部３、第４指部４及び第５指部５に於いて、前記各指部２、３、４及び５の第１関節部２１、３１、４１及び５１が第２関節部２２、３２、４２及び５２に比べて掌側に大きく屈曲しており、同時に、第２関節部２２、３２、４２及び５２が第３関節部２３、３３、４３及び５３に比べて掌側に大きく屈曲しており、かつ、前記屈曲によって生じる前記第１関節部２１、３１、４１及び５１の掌側の窪み部２１１、３１１、４１１及び５１１の最深部２１１１、３１１１、４１１１及び５１１１と、前記第２関節部２２、３２、４２及び５２の掌側の窪み部２２１、３２１、４２１及び５２１の最深部２２１１、３２１１、４２１１及び５２１１と、
前記第１関節部２１、３１、４１及び５１と前記第２関節部２２、３２、４２及び５２とに同時に接する滑らかな曲面６との間の最短の距離が共に０，２〜５ｍｍであることを含むことを特徴とする手袋である。【００１２】  第２の発明は、手を挿着後、対象物を掴むときに指の関節部がスムーズに動くことができる手袋Ｇであって、当該手袋Ｇは、第２指部２、第３指部３、第４指部４及び第５指部５に於いて、
前記各指部２、３、４及び５の第３関節部２３、３３、４３及び５３の屈曲が、当該第３関節部２３、３３、４３及び５３の中心に立てた垂線７を基線として掌側に傾いた状態の角度２３１、３３１、４３１及び５３１でしめされ、５〜３０°なっており、前記各指部２、３、４及び５の第２関節部２２、３２、４２及び５２の屈曲が、前記第３関節部２３、３３、４３及び５３の中心に立てた垂線７を基線として掌側に傾いた状態の角度２２１、３２１、４２１及び５２１でしめされ、３０〜６０°になっており、
前記各指部２、３、４及び５の第１関節部２Ｉ、３Ｉ、４１及び５Ｉの屈曲が、前記第３関節部２３、３３、４３及び５３の中心に立てた垂線７を基線として掌側に傾いた状態の角度２Ｉ１、３１１、４ＩＩ及び５Ｉ１で示され、５５〜８５°になっており、かつ、第２指部２から第５指部５の全ての指部に於いて、前記屈曲によって生じる前記第１関節部２１、３１、４１及び５１の掌側の窪み部２１１、３１１、４１１及び５１１の最深部２１１１、３１１１、４１１１及び５１１１と前記第２関節部２２、３２、４２及び５２の掌側の窪み部２２１、３２１、４２１及び５２１の最深部２２１１、３２１１、４２１１及び５２１１と、前記第１関節部２１、３１、４１及び５１と前記第２関節部２２、３２、４２及び５２とに同時に接する滑らかな曲面６との間の最短の距離が共に０，２〜５ｍｍであることを含むことを特徴とする手袋である。【００１３】  第３の発明は、前記垂線７を基線として掌側に傾いた状態の角度２２１、３２１、４２１及び５２１と垂線７を基線として掌側に傾いた状態の角度２３１、３３１、４３１及び５３１の差が１５°を超え、前記垂線７を基線として掌側に傾いた状態の角度２１１、３１１、４Ｉ１及び５Ｉ１と前記垂線７を基線として掌側に傾いた状態の角度２２１、３２１、４２１及び５２１の差も、１５°を超えることを特徴とする第２の発明に係る手袋である。【００１４】  第４の発明は、滑らかな曲面６が、球表面で形成されていることを特徴とする第１、第２又は３の発明に係る手袋である
【発明の効果】
【００１５】  第１の発明に係る手袋は、前記の通り、各指部２、３、４及び５の第１関節部２１、３１、４１及び５１が第２関節部２２、３２、４２及び５２に比べて掌側に大きく屈曲しており、同時に、第２関節部２２、３２、４２及び５２が第３関節部２３、３３、４３及び５３に比べて掌側に大きく屈曲している。
従って、手を手袋に挿着し対象物を掴むときに、各指部２、３、４及び５に於いて、先ず第１関節部２１、３１、４１及び５１が対象物に触れ、次いで第２関節部２２、３２、４２及び５２が屈曲して対象物に触れ、最後に第３関節部２３、３３、４３及び５３が屈曲し対象物に触れる。このように、本願発明の手袋は、各指部が最も自然な動きができるように各関節部がそれぞれに屈曲しているので、各指部が疲れることなく、対象物をスムーズに、しかも確りと掴むことができる。
さらに、対象物を掴んだ後、作業の目的により、各種動作即ち各指を動かすときに、何らの抵抗感もなく動かすことができ、正確に作業をすることができる。
このような理由により、本願発明に係る手袋は、電気回路、例えば電柱等での高所に於ける危険な作業等で各指部を無理をせずに自由に動かすことができるので、安全にそして正確に作業ができ、電気回路等での作業には、特に好適である。【００１６】  さらに、前記掌側の窪み部２１１、３１１、４１１及び５１１の最深部２１１１、３１１１、４１１１及び５１１１と、前記掌側の窪み部２２１、３２１、４２１及び５２１の最深部２２１１、３２１１、４２１１及び５２１１と、前記第１関節部２１、３１、４１及び５１と前記第２関節部２２、３２、４２及び５２とを同時に接する滑らかな曲面６との間の最短の距離が共に０，２〜５ｍｍであることにより、対象物を掴むときの各指部２、３、４及び５の屈曲及び掴んだ後の動作を一層容易にすることができる。【００１７】  第２の発明に係る手袋は、前記各指部２、３、４及び５の第３関節部２３、３３、４３及び５３の屈曲が、当該第３関節部２３、３３、４３及び５３の中心に立てた垂線７を基線として掌側に傾いた状態の角度２３１、３３１、４３１及び５３１で示され、５〜３０°なっており、前記各指部２、３、４及び５の第２関節部２２、３２、４２及び５２の屈曲が、前記第３関節部２３、３３、４３及び５３の中心に立てた垂線７を基線として掌側に傾いた状態の角度２２１、３２１、４２１及び５２１で示され、３０〜６０°になっており、前記各指部２、３、４及び５の第１関節部２Ｉ、３Ｉ、４１及び５Ｉの屈曲が、前記第３関節部２３、３３、４３及び５３の中心に立てた垂線７を基線として掌側に傾いた状態の角度２Ｉ１、３１１、４ＩＩ及び５Ｉ１で示され、５５〜８５°になっている。【００１８】  そのことにより、第２の発明に係る手袋は、前記第１の発明に係る手袋以上に、各指部が確実に自然な動きができるように各関節部がそれぞれに屈曲するようになり、各指部が疲れることなく、更に、確実に、対象物をスムーズに、しかも確りと掴むことができる。
更に加えて、対象物を掴んだ後、作業の目的により、各種動作即ち各指を動かすときに、何らの抵抗感もなく動かすことができ、更に、正確に作業をすることができる。
このような理由により、第２の本願発明に係る手袋は、電気回路、例えば電柱等での高所に於ける危険な作業等で各指部を無理をせずに自由に動かすことができるので、更に安全にそして正確に作業ができ、電気回路等での作業には、特に好適である。
なお、本発明に係る手袋においては、第１指部１の第１関節部１１の屈曲、即ち、掌側に傾いた状態の角度については、特に、限定していない。それは、屈曲していなくても、作業時それ程手は疲れないからである。しかしながら、図示はしていないが、第１関節部１１の掌側の窪み部の最深部と滑らかな接する曲面（図３に示す曲面６に準じる曲面である）との間の最短の距離を０〜２ｍｍすると、電気回路、例えば電柱等での高所での長時間作業等では疲れが少なくなるという効果は認められる。【００１９】  第３の発明に係る手袋は、前記垂線７を基線として掌側に傾いた状態の角度２２１、３２１、４２１及び５２１と垂線７を基線として掌側に傾いた状態の角度２３１、３３１、４３１及び５３１の差が１５°を超え、前記垂線７を基線として掌側に傾いた状態の角度２１１、３１１、４Ｉ１及び５Ｉ１と前記垂線７を基線として掌側に傾いた状態の角度２２１、３２１、４２１及び５２１の差も、１５°を超える。
このように、各関節の垂線７を基線として掌側に傾いた状態の角度同士の関係を設定することにより、第２の発明に係る手袋の効果を更に確実にすることができる。【００２０】  第４の発明に係る手袋は、滑らかな曲面６が、球表面で形成されている。このことにより、前記第１、第２及び第３に係る発明の手袋の形態を確実に規定することができ、前記各発明に係る各手袋の効果を確実にすることができる。
なお、本明細書においては、球には楕円体も含んで考えているが、通常は球が使用される。
【発明を実施するための最良の形態】
【００２１】    本願発明を実施するに当って、手袋Ｇの第２指部２、第３指部３、第４指部４及び第５指部５に於いて、前記各指部２、３、４及び５の第１関節部２１、３１、４１及び５１が第２関節部２２、３２、４２及び５２に比べて掌側に大きく屈曲しており、同時に、第２関節部２２、３２、４２及び５２が第３関節部２３、３３、４３及び５３に比べて掌側に大きく屈曲しており、かつ、前記屈曲によって生じる前記第１関節部２１、３１、４１及び５１の掌側の窪み部２１１、３１１、４１１及び５１１の最深部２１１１、３１１１、４１１１及び５１１１と、前記第２関節部２２、３２、４２及び５２の掌側の窪み部２２１、３２１、４２１及び５２１の最深部２２１１、３２１１、４２１１及び５２１１と、前記第１関節部２１、３１、４１及び５１と前記第２関節部２２、３２、４２及び５２とに同時に接する滑らかな曲面６との間の最短の距離が共に０，２〜５ｍｍであることが最適である。【００２２】  ここで、前記最短の距離が０．２ｍｍ未満であれば、前記各指部２、３、４及び５の第１関節部２１、３１、４１及び５１と第２関節部２２、３２、４２及び５２に於いて、当該関節部がスムーズに屈曲しにくくなることがあり、長期間の作業で指が疲れ易くなることがある。
また、前記最短の距離が５ｍｍを超えれば、手袋に手を挿着するときに、手の各指の第１関節及び第２関節が手袋で締めつけられ、違和感を覚えることがある。
なお、前記滑らかな曲面６は、通常は、球の表面で形成されたもので示される。【００２３】  前記各指部２、３、４及び５の第３関節部２３、３３、４３及び５３の屈曲が、当該第３関節部２３、３３、４３及び５３の中心に立てた垂線７を基線として掌側に傾いた状態の角度２３１、３３１、４３１及び５３１で示され、５〜３０°なっており、前記各指部２、３、４及び５の第２関節部２２、３２、４２及び５２の屈曲が、前記第３関節部２３、３３、４３及び５３の中心に立てた垂線７を基線として掌側に傾いた状態の角度２２１、３２１、４２１及び５２１で示され、３０〜６０°になっており、前記各指部２、３、４及び５の第１関節部２Ｉ、３Ｉ、４１及び５Ｉの屈曲が、前記第３関節部２３、３３、４３及び５３の中心に立てた垂線７を基線として掌側に傾いた状態の角度２Ｉ１、３１１、４ＩＩ及び５Ｉ１で示され、５５〜８５°になっている。【００２４】  ここで、第３関節部２３、３３、４３及び５３の中心に立てた垂線７を基線として掌側に傾いた状態の角度２３１、３３１、４３１及び５３１が５°未満、また、掌側に傾いた状態の角度２２１、３２１、４２１及び５２１が３０°未満、更にまた、掌側に傾いた状態の角度２Ｉ１、３１１、４ＩＩ及び５Ｉ１が５５°未満であるときは、指部２、３、４及び５の第１関節部２Ｉ、３Ｉ、４１及び５Ｉ、第２関節部２２、３２、４２及び５２、前記第３関節部２３、３３、４３及び５３がスムーズに屈曲することが少なくなることがあり、長期間の作業で指が疲れ易くなることがある。【００２５】  第３関節部２３、３３、４３及び５３の中心に立てた垂線７を基線として掌側に傾いた状態の角度２３１、３３１、４３１及び５３１が３０°以上、また、掌側に傾いた状態の角度２２１、３２１、４２１及び５２１が６０°以上、更にまた、掌側に傾いた状態の角度２Ｉ１、３１１、４ＩＩ及び５Ｉ１が８５°以上であるときは、指部２、３、４及び５の第１関節部２Ｉ、３Ｉ、４１及び５Ｉ、第２関節部２２、３２、４２及び５２、前記第３関節部２３、３３、４３及び５３が屈曲しにくく、そのため手袋の着脱がしにくく、また、細いネジを回す作業のように、手の第１関節及び第２関節をそれ程曲げないでする作業の場合には、却って作業の妨げとなることがある。【００２６】  前記垂線７を基線として掌側に傾いた状態の角度２２１、３２１、４２１及び５２１と垂線７を基線として掌側に傾いた状態の角度２３１、３３１、４３１及び５３１の差が１５°を超え、前記垂線７を基線として掌側に傾いた状態の角度２１１、３１１、４Ｉ１及び５Ｉ１と前記垂線７を基線として掌側に傾いた状態の角度２２１、３２１、４２１及び５２１の差も、１５°を超える。【００２７】  ここで、前記角度の差が１５°未満であると、隣接している関節部の角度の差が小さくなり、挿着している指の関節が動かしにくくなり、スムーズに屈曲しにくくなることがある。【００２８】  本発明に係る手袋の最も代表的な構造は、手袋基布１０１と当該手袋基布の外面を覆う高分子層を含む手袋であって、前記高分子層は、内層である発泡層１０２と外層である充実層１０３とよりなり、手首部に於いて、前記内層と前記外層との間に伸縮性部材１０４が含まれている。【００２９】  伸縮性部材１０４は、単数または複数の弾性高分子帯状体であり，透孔が設けられており、当該透孔には、手袋基布１０１の外面を覆う高分子層の一部が挿通している。手袋基布１０１の外面を覆う高分子層を耐電性素材で形成すると、電気回路の作業用の手袋として好適である。
耐電性素材としては、柔軟性がある天然ゴム、ポリイソプレンゴム、アクリロニトリル・ブタジェン共重合ゴム、ポリクロロプレンゴム、ポリブタジェンゴム、スチレン・ブタジェン共重合ゴム、ポリ塩化ビニルまたはポリウレタン等を使用することができる。【００３０】  伸縮性部材１０４としては、例えば、製造時に使用する手型の手首部の外径に比べ、内径が５〜２５パーセント小さいものが好ましい。このような伸縮性部材１０４であると、手型の手首部に挿着するときに、工程中に位置がずれたり、また、浮き上がったりすることがない。【００３１】  手袋基布の外面を覆う高分子層の厚みは、０，２〜１，５ｍｍのものが好ましい。もし、０，２ｍｍ未満であれば、耐電性手袋の場合は、耐電性が悪くなる虞がある。
【実施例】
【００３２】    以下、本発明を図面に用いて詳細に説明する。前記図１〜図６は、以下の本実施例の説明でも使用する。なお、図７は図１のＢ−Ｂ視拡大断面図である。【００３３】    先ず、図７を用いて、本発明に係る手袋、例えば、耐電性手袋の構成について説明する。当該耐電性手袋Ｇは手袋基布１０１と、手袋基布１０１の外面を覆う発泡層１０２と、発泡層１０２を覆う充実層１０３と、手首部において手袋基布１０１と発泡層１０２との間に装着されている伸縮性部材１０４とより構成されている。
そして、上記耐電性手袋Ｇは、手首部において、前記伸縮性部材１０４により８％程度絞られた状態となっている。【００３４】  ここで、前記手袋Ｇの各層または各部材の詳細は、次の通りである。手袋基布１０１は綿布４０番手引き揃えのメリヤスより形成されている。発泡層１０２は天然ゴムの発泡体であり、厚み０，７ｍｍ、比重０，３である。充実層１０３は天然ゴムとポリイソプレンゴムとの等重量のブレンドゴムよりなる充実体であり、厚み０．５ｍｍ、比重１．２である。伸縮性部材１０４は天然ゴムの充実体であり、引張り強度２０ＭＰａ（ＪＩＳ  ｋ６２５１加硫ゴムの物理試験方法に準拠して測定した）、伸び８００％（ＪＩＳ  ｋ６２５１加硫ゴムの物理試験方法に準拠して測定した。）、耐熱老化試験（１１０℃の雰囲気中に２時間静置後、ＪＩＳ  ｋ６２５１加硫ゴムの物理試験方法に準拠して測定した）における引張り強度と伸びの保持率が８５％である。【００３５】  図１〜図６を使用して、本発明に係る手袋の形態について説明する。
当該手袋Ｇは、第２指部２、第３指部３、第４指部４及び第５指部５に於いて、前記各指部２、３、４及び５の第３関節部２３、３３、４３及び５３の屈曲が、当該第３関節部２３、３３、４３及び５３の中心に立てた垂線７を基線として掌側に傾いた状態の角度２３１、３３１、４３１及び５３１で示され、１５°となっている。
また、前記各指部２、３、４及び５の第２関節部２２、３２、４２及び５２の屈曲が、前記第３関節部２３、３３、４３及び５３の中心に立てた垂線７を基線として掌側に傾いた状態の角度２２１、３２１、４２１及び５２１で示され、４０°になっている。
さらにまた、於前記各指部２、３、４及び５の第１関節部２Ｉ、３Ｉ、４１及び５Ｉの屈曲が、前記第３関節部２３、３３、４３及び５３の中心に立てた垂線７を基線として掌側に傾いた状態の角度２Ｉ１、３１１、４ＩＩ及び５Ｉ１で示され、７０°になっている。
なお、第１指部１の第１関節部１１の第３関節部１３の中心に立てた垂線（図示はしていない）を基線として掌側に傾いた状態の角度は０°である。【００３６】  第２指部２から第５指部５の全ての指部に於いて、前記屈曲によって生じる前記第１関節部２１、３１、４１及び５１の掌側の窪み部２１１、３１１、４１１及び５１１の最深部２１１１、３１１１、４１１１及び５１１１と、前記第２関節部２２、３２、４２及び５２の掌側の窪み部２２１、３２１、４２１及び５２１の最深部２２１１、３２１１、４２１１及び５２１１と、前記第１関節部２１、３１、４１及び５１と前記第２関節部２２、３２、４２及び５２とに同時に接する滑らかな曲面６との間の最短の距離は、前者の場合は１．７ｍｍ、後者の場合は１．４ｍｍである。，
なお、第１指部の第１関節部の場合は０ｍｍである。即ち直立状態である。【００３７】前記手袋Ｇは、発泡層１０２に天然ゴムの発泡体及び充実層１０３に天然ゴムとポリイソプレンゴムとの等重量のブレンドゴムよりなる充実体を使用しているので、耐電性を有している。
そこで、前記手袋Ｇの耐電性試験の一つの例として下記の試験を行った。
一般に、電気回路の作業に於いて、挿着した手袋が濡れた状態であっても、感電事故から免れるためには、手袋は水中に浸漬して引き上げた後、電極間電圧７５０Ｖ（６０ＨＺ）において充電電流が少なくとも１０．０ｍＡ以下でなければならないといわれている。【００３８】  前記耐電性手袋Ｇを２０個用意し、四つの群に分けた。それぞれを、ＪＩＳ  Ｔ８０１０−１９７４、４記載の装置を用い、そのうちのＩ群を２分間水中に浸漬し、他の３つの群もそれぞれ２時間、４時間、６時間浸漬し、引き上げ直ちに、電極間電圧７５０Ｖ（６０ＨＺ）での充電電流を測定した。
その結果、それぞれの充電電流は、０．１３ｍＡ、０．３３ｍＡ、０．４２ｍＡ、１．４６ｍＡであり、挿着した手袋が濡れた状態であっても、感電事故から免れることが分かった。【００３９】  前記耐電性手袋Ｇを５人の作業者が挿着し、雨中で電柱での配電工事を行った。工事中、手袋が手から脱落したり、ずれたりすることなく、そして、感電することもなく、安心して使用することができた。
【産業上の利用可能性】
【００４０】    本発明の手袋は、電気回路作業、塗装作業、重量物の運搬作業、クリニング作業、レストラン、食堂、家庭等での炊事、森林作業等数多くの分野で利用することができる。
【図面の簡単な説明】
【００４１】
【図１】  本発明に係る手袋の左手側の掌側から見た正面図である。
【図２】  本発明に係る手袋の右手側の第１指側から見た側面図である。
【図３】  図１のＡ−Ａ視拡大断面図である。
【図４】  図３に示す第３指の第３関節の掌側への屈曲の角度を示す説明図である。
【図５】  図３に示す第３指の第２関節の掌側への屈曲の角度を示す説明図である。
【図６】  図３に示す第３指の第１関節の掌側への屈曲の角度を示す説明図である。
【図７】  図１のＢ−Ｂ視拡大断面図である。
【符号の説明】
【００４２】Ｇ                  耐電性手袋
１                  第１指部
２                  第２指部
３                  第３指部
４                  第４指部
５                  第５指部
１１〜５１          各指部の第１関節部
２２〜５２          各指部の第２関節部
１３〜５３          各指部の第２関節部
２１１〜５１１      各指部の第１関節部の窪み部
２１１１〜５１１１  各指部の第１関節部の窪み部の最深部
２２１〜５２１      各指部の第２関節部の窪み部
２２１１〜５２１１  各指部の第２関節部の窪み部の最深部
６                  滑らかな曲面
１３〜５３          各指部の第３関節部
７                  第２指部〜第５指部の第３関節部の中心に立てた垂線
２３１〜５３１      垂線７を基線として掌側に傾いた状態を示す第３関節部の角度
２２１〜５２１      垂線７を基線として掌側に傾いた状態を示す第２関節部の角度
２Ｉ１〜５Ｉ１      垂線７を基線として掌側に傾いた状態を示す第１関節部の角度
１０１              手袋基布
１０２              発泡層
１０３              充実層
１０４              伸縮性部材
【図１】
2007262642.tif 000003
【図２】
2007262642.tif 000004
【図３】
2007262642.tif 000005
【図４】
2007262642.tif 000006
【図５】
2007262642.tif 000007
【図６】
2007262642.tif 000008
【図７】
2007262642.tif 000009